(57)【要約】【課題】セル間でのハンドオーバを開始するために、ネットワークが移動端末装置に第１のグループのシステム情報を回線交換サービスに関連する第１のチャネルを介して伝送し、第２のグループのシステム情報をパケット交換サービスに関連する第２のチャネルを介して伝送する、マルチモードのセルラー遠隔通信ネットワークにおける移動端末装置によるハンドオーバの方法を提供する。【解決手段】ａ）  第２のグループのシステム情報に含まれる情報に応じて少なくとも１つの隣接セルにおいて測定を行うステップと、ｂ）  ネットワークにステップａ）で行われた測定を伝送するステップと、ｃ）  ステップａ）で行われた測定に応じてハンドオーバの手続きを開始するステップと、を設ける【選択図】    図１
2004187292.tif 000002
【特許請求の範囲】
【請求項１】
ハンドオーバを開始するために、ネットワークが移動端末装置に第１のグループのシステム情報を回線交換サービスに関連する第１のチャネルを介して伝送し、第２のグループのシステム情報をパケット交換サービスに関連する第２のチャネルを介して伝送するマルチモードの移動遠隔通信ネットワークにおける、ハンドオーバの方法であって、
ａ）  前記第２のグループのシステム情報に含まれる情報に応じて少なくとも１つの隣接セルにおいて測定を行うステップと、
ｂ）  ステップａ）で行われた前記測定を前記ネットワークに伝送するステップと、
ｃ）  ステップａ）で行われた前記測定に応じてハンドオーバの手続きを開始するステップと、
を有する方法。
【請求項２】
前記測定が、回線交換（ＣＳ）型の隣接セルにおいて行われる請求項１に記載の方法。
【請求項３】
前記遠隔通信ネットワークが、ＧＳＭ／ＧＰＲＳネットワークであり、前記第１のチャネルがＢＣＣＨチャネルであり、前記第２のチャネルがＰＢＣＣＨチャネルである、請求項２に記載の方法。
【請求項４】
前記遠隔通信ネットワークがＵＭＴＳネットワークである、請求項２に記載の方法。
【請求項５】
マルチモードの移動遠隔通信ネットワークで使用される移動端末装置であり、前記ネットワークにおいてハンドオーバを準備するために、前記ネットワークによって前記移動端末装置に回線交換チャネルを介して伝送された第１のグループのシステム情報または前記ネットワークによって前記移動端末装置にパケット交換チャネルを介して伝送された第２のグループのシステム情報に基づいて測定を行う、移動端末装置であって、
前記第２のグループのシステム情報に含まれる情報に基づいて、少なくとも１つの隣接セルにおいて測定を行う手段と、
行われた前記測定を前記ネットワークに伝送する手段と、
行われた前記測定に応じてハンドオーバの手続きを開始する手段と、
を有する移動端末装置。
【発明の詳細な説明】
【技術分野】
【０００１】
本発明は、移動遠隔通信（すなわち移動電気通信）の分野に属し、より詳しくは、マルチモードの移動遠隔通信ネットワークでのハンドオーバ（セル間での移動）の方法に関する。このマルチモードの移動遠隔通信ネットワークでは、ハンドオーバを開始するために、ネットワークは、移動端末装置に対し、第１のグループのシステム情報を回線交換サービスに関連する第１のチャネルを介して伝送し、第２のグループのシステム情報をパケット交換サービスに関連する第２のチャネルを介して伝送する。
【０００２】
本発明は、より詳細には、ＧＳＭ(Global System for Mobile communication)／ＧＰＲＳ(General Packet Service)セルおよびＵＭＴＳ(Universal Mobile Telephone service)セルを含むマルチモードのネットワークにおける、ＧＳＭ／ＧＰＲＳ−ＵＭＴＳデュアルモードの移動端末装置に適用される。
【背景技術】
【０００３】
セルラー網において、移動端末装置は、以下の説明では現在のセルと呼ぶことにする、そのネットワークの特定のセルに接続されている。
【０００４】
「ハンドオーバ」を準備するため、ネットワークは、移動端末装置に、現在のセルで実施されているものと同じアクセス技術が実施されている隣接セルだけでなく異なるアクセス技術が実施されているセルを含むリストを通知しなければならない。
【０００５】
３ＧＰＰ(Third Generation Partnership Project)の技術仕様には、ＧＳＭ標準に関して、セル内でブロードキャストされるシステム情報を移動端末装置に伝送するためのダウンリンクＢＣＣＨ（ブロードキャスト制御チャネル：Broadcast Control Channel）上の一方向性論理制御チャネルが定義されている。
【０００６】
このシステム情報は、回線交換網においてシステム情報タイプ２（ＳＩ２）と呼ばれ、パケット交換網においてシステム情報タイプ５（ＳＩ５）と呼ばれている。
【０００７】
ＧＰＲＳの導入とともに、ダウンリンクＰＢＣＣＨ（パケットブロードキャスト制御チャネル：Packet Broadcast Control Channel）上の新しい一方向性論理制御チャネルが、セル内でブロードキャストされる様々なタイプのシステム情報を移動端末装置に伝送するために、定義された。このシステム情報は、とりわけ、測定を行わなければならない隣接セルの周波数のリストを含む。
【０００８】
従来の技術では、端末装置がネットワークと通信を確立したとき、専用チャネルＳＤＣＣＨ（低速専用制御チャネル：Slow Dedicated Control Channel）がシステム情報の伝送のために割り当てられる。
【発明の開示】
【発明が解決しようとする課題】
【０００９】
しかしながらこの情報を伝送するのに必要な遅延は、比較的長い（３秒ないし４秒）。このことから、「ハンドオーバ」の手続きの成功が危うくなる可能性がある。というのは、ハンドオーバの手続きは、特に現在のセルが飽和している場合、より短い遅延で行わなければならないからである。
【００１０】
この問題は、３ＧＰＰ標準の現在の仕様が、可用なＰＢＣＣＨチャネルに介して伝送されてきたシステム情報に基づいて行われた測定の結果を移動端末装置がネットワークに送信することを可能にする手続きを規定していないことのため、際立ったものとなっている。
【００１１】
本発明の目的は、以上に述べた従来の技術の欠点を解決することである。
【課題を解決するための手段】
【００１２】
本発明は、ハンドオーバを開始するためにネットワークが移動端末装置に第１のグループのシステム情報を回線交換チャネルを介して伝送し、第２のグループのシステム情報をパケット交換チャネルを介して伝送するマルチモードの移動遠隔通信ネットワークにおける、ハンドオーバの方法を提案する。回線交換チャネルは回線交換サービスに関連するチャネルであり、パケット交換チャネルはパケット交換サービスに関連するチャネルである。
【００１３】
本発明による方法は、
ａ）  第２のグループのシステム情報に含まれる情報に基づいて少なくとも１つの隣接セルにおいて測定を行うステップと、
ｂ）  ステップａ）で行われた測定をネットワークに伝送する、ステップと、
ｃ）  ステップａ）で行われた測定に応じてハンドオーバを開始するステップと、
を含む。
【００１４】
本発明の特定の適用例では、測定は、回線交換（ＣＳ）による隣接セルにおいて行われる。
【００１５】
本発明は、好ましくは、ＧＳＭ／ＧＰＲＳデュアルモードのネットワークやＵＭＴＳネットワークにおいて適用される。その場合、第１のチャネルは、ＢＣＣＨチャネルであり、第２のチャネルは、ＰＢＣＣＨチャネルである。
【００１６】
また本発明は、移動遠隔通信ネットワークにおいてハンドオーバを準備するために測定を行う移動端末装置にも関する。この測定は、ネットワークによって移動端末装置に回線交換チャネルを介して伝送された第１のグループのシステム情報、またはネットワークによって移動端末装置にパケット交換チャネルを介して伝送された第２のグループのシステム情報に依存している。
【００１７】
本発明による移動端末装置は、
第２のグループのシステム情報に含まれる情報に応じて少なくとも１つの隣接セルにおいて測定を行う手段と、
行われた測定をネットワークに伝送する手段と、
行われた測定に応じてハンドオーバの手続きを開始する手段と、
を含む。
【発明の効果】
【００１８】
本発明は、システム情報に基づいて隣接セルにおいて行われた測定の結果をすばやくネットワークに伝送することにより、ハンドオーバの手続きを確実に行えるようになる、という効果がある。
【００１９】
本発明のその他の特徴および利点は、添付の図を参照した、非限定的な例として受け取るべき以下の説明から明白となる。
【発明を実施するための最良の形態】
【００２０】
次に、本発明の好ましい実施形態について、図面を参照して説明する。ここでは、移動端末装置ＭＳ(mobile station)が、ＧＳＭネットワークの飽和したセル内に位置するものとして、ＧＳＭ／ＧＰＲＳネットワークにおける本発明の実施について説明する。したがって、移動端末装置に関し、通信を継続するのに十分な無線リソースを備えたセルに向けたその飽和したセルからのハンドオーバの手続きが、実施されなければならない。十分な無線リソースを備えた隣接セルを識別するために測定が実施される。
【００２１】
図１は、移動端末装置ＭＳ、基地局システム（ＢＳＳ：Base Station System）及び移動電話交換センタ（ＭＳＣ；Mobile Switching Center）の間で交換される種々の情報を矢印で示すことによって、この手続きの様々なステップを示している。
【００２２】
周知の態様で、ＢＳＳアクセス網が、矢印４で示すように、移動端末装置ＭＳに、測定すべきセルに関する周波数の第１のリストをＢＣＣＨチャネルを介して送信し、測定すべきセルに関する周波数の第２のリストをＰＢＣＣＨチャネルを介して送信する。
【００２３】
通信を確立するため、端末装置は、矢印６で示すように、ＢＳＳに対し、ネットワークに接続する要求を送信する。
【００２４】
この要求を受信すると、ＢＳＳは、矢印８に示すように、端末装置のユーザからのデータ、およびシグナリング情報を伝達する双方向性トランスポートチャネルＳＤＣＣＨを端末装置に即時に割り当てる。次に端末装置は、矢印１０，１２で示すように、ＢＳＳと初期設定メッセージを交換する。
【００２５】
従来技術のハンドオーバの手続きとは異なり、本実施形態では、端末装置は、ＢＣＣＨチャネルを介して送信されるシステム情報ＳＩ５の受信を待つことなく、矢印１４で示すように、ＰＢＣＣＨを介して送信されたシステム情報に基づくＧＰＲＳ測定をＢＳＳに即時に伝送する。
【００２６】
図１に示した例では、端末装置は、メッセージＳＩ５に応じて測定が実施される前に、矢印１４で示すように測定の６つの報告を送信する。したがって、ネットワークは、ＧＰＲＳシステム情報とＧＳＭシステム情報とに基づく測定の９つの報告に基づいて、矢印１６に示すようにハンドオーバを準備することができる。
【００２７】
本実施形態におけるハンドオーバの手続きは、ハンドオーバを行う決定が、３つの測定報告ではなく９つの測定報告に基づいて行われることを考えると、ＰＢＣＣＨを介して端末装置に提供されるシステム情報を考慮に入れることで、顕著に改良される。
【００２８】
図２は、本発明による移動端末装置の一例を示している。
【００２９】
移動端末装置２０は、マルチモードの移動遠隔通信システムで使用されるものであって、ネットワークにおいてハンドオーバを準備するために、ネットワークによってその移動端末装置２０に回線交換チャネルを介して伝送された第１のグループのシステム情報またはネットワークによってその移動端末装置２０にパケット交換チャネルを介して伝送された第２のグループのシステム情報に基づいて測定を行うものである。そして移動端末装置２０は、アンテナ２２と、アンテナ２２に接続した高周波信号処理部２４と、第２のグループのシステム情報に含まれる情報に基づいて、少なくとも１つの隣接セルにおいて測定を行う測定部２６と、測定部２６で行なわれた測定をネットワークに伝送する伝送部２８と、測定部２６で行われた測定に基づいてハンドオーバの手続きを開始するハンドオーバ部３０と、携帯電話機としての通常の機能、例えば、発呼や音声通話などを実現する電話部３２と、を備えている。測定部２６、伝送部２８、ハンドオーバ部３０及び電話部３２は、いずれも、高周波信号処理部２４に接続している。
【図面の簡単な説明】
【００３０】
【図１】本発明による方法の種々のステップを示す図である。
【図２】本発明による移動端末装置の一例を示すブロック図である。
【符号の説明】
【００３１】
２０    移動端末装置
２２    アンテナ
２４    高周波信号処理部
２６    測定部
２８    ハンドオーバ部
３０    伝送部
３２    電話部
【図１】
2004187292.tif 000003
【図２】
2004187292.tif 000004